(57)【要約】【課題】ボルト形の脚を架台に固定する作業の手間暇を軽減し、脚を安定した姿勢で固定し、部品コスト、施工コストの低廉化を図り、更には脚の高さ調節を、簡単化、容易化する。【解決手段】上面が平面状の架台１に、防水パン２のボルト形の脚３を固定するための防水パン２の脚固定構造であって、上記の架台１に、上記の脚３を受けるための脚受け部材４を上方から嵌め付ける。この脚受け部材４に、縦筒形の脚差込み部４１を形成する。この脚差込み部４１に脚３を、その下端のボルト頭３ａを架台１の上面１ｂに当接させた状態で起立状に配置する。この脚差込み部４１に接着剤５を注入して脚３を架台１に固定する。【選択図】      図１
2004190402.tif 000002
【特許請求の範囲】
【請求項１】
上面が平面状の架台に、防水パンのボルト形の脚を固定するための防水パンの脚固定構造であって、上記の架台に上記の脚を受けるための脚受け部材が上方から嵌め付けられ、この脚受け部材に縦筒形の脚差込み部が形成され、この脚差込み部に脚がその下端のボルト頭を架台の上面に当接させた状態で起立状に配置され、この脚差込み部に接着剤が注入されて脚が架台に固定されていることを特徴とする防水パンの脚固定構造。
【請求項２】
請求項１記載の防水パンの脚固定構造であって、脚差込み部が架台の上面に接触する底板を備え、この底板に脚の下端のボルト頭を通す開口部が形成されていることを特徴とする防水パンの脚固定構造。
【請求項３】
請求項１又は２記載の防水パンの脚固定構造であって、脚差込み部の上部が、上方に向かって末広がり状に形成されていることを特徴とする防水パンの脚固定構造。
【請求項４】
請求項３記載の防水パンの脚固定構造であって、脚差込み部の上部を支持して補強するための補強片が、脚受け部材の外周面に形成されていることを特徴とする防水パンの脚固定構造。
【発明の詳細な説明】
【０００１】
【発明の属する技術分野】
本発明は、洗い場パン等の防水パンの脚固定構造に関し、更に詳しくは防水パンのボルト形の脚を、架台に簡単、容易に固定できるよう形成した防水パンの脚固定構造に関するものである。
【０００２】
【従来の技術】
従来この種の構造としては、例えば図９に示されるように、架台ａの平面状の上面ｂに、受け皿ｃをネジｄで固定し、この受け皿ｃに脚ｅの下端のボルト頭ｆを配置すると共に、受け皿ｃ内に接着剤を注入して固定するものがある（その他、例えば特許文献１参照）。
【０００３】
【特許文献１】
特開２００１ー２５４４１５号公報（図５）
【０００４】
【発明が解決しようとする課題】
ところで従来、上面が平面状の架台にボルト形の脚を固定する場合は、上記の通り、受け皿を架台にネジ止めし、この受け皿によってボルト頭の横滑りを防止すると共に、接着剤の注入を可能にしている。従って従来のこの種の構造によると、受け皿を架台に取り付けるためにドライバー等の手動工具が必要になったから、施工作業に手間暇がかかるのを避けられなかった。
又従来は、受け皿をネジ止めしているため、脚の下端のボルト頭がネジの頭に当たり易く、脚が不安定な姿勢で接着されることがあった。
又従来は、受け皿に脚の下端のボルト頭を直接当て、受け皿を介して架台が防水パンを支持する構造であった。従って従来の構造によると、剛性の高い強度の大きな受け皿を使用しなければならず、そのため受け皿のコストが高く付き、施工コストが高くなる、という問題点があった。
又従来は、受け皿を架台の上面に一旦固定すると、脚の高さ調節の際、受け皿の周壁越しにスパナ等の工具を斜め上方から差し入れてボルト頭を回す必要があった。従って従来構造によると、脚の高さ調節が不便で作業性が悪い、という問題点があった。
【０００５】
本発明は、このような従来の問題点に鑑み、提案されたものである。
従って本発明の技術的課題は、ボルト形の脚を架台に固定する防水パンの脚固定構造において、ボルト形の脚を架台に固定する作業の手間暇を軽減でき、脚を安定した姿勢で固定でき、部品コスト、施工コストを低廉化でき、更には脚の高さ調節を、簡単、容易にできるよう形成した防水パンの脚固定構造を提供することにある。
【０００６】
【課題を解決するための手段】
本発明は、上記の課題を解決するために、次のような技術的手段を採る。
【０００７】
即ち本発明は、図１等に示されるように、上面が平面状の架台１に、防水パン２のボルト形の脚３を固定するための防水パン２の脚固定構造であって、上記の架台１に上記の脚３を受けるための脚受け部材４が上方から嵌め付けられ、この脚受け部材４に縦筒形の脚差込み部４１が形成され、この脚差込み部４１に脚３がその下端のボルト頭３ａを架台１の上面１ｂに当接させた状態で起立状に配置され、この脚差込み部４１に接着剤５が注入されて脚３が架台１に固定されていることを特徴とする（請求項１）。
【０００８】
本発明の場合、上面が平面状の架台１としては、例えば角パイプ状の吊り架台がある。又ここで、縦筒形の脚差込み部４１とは、脚３を上方から差し込むことができるよう上面が開口された筒状の箇所を意味し、例えば角筒形や円筒形に形成されることで実現される。なお本発明の場合、脚差込み部４１の深さは任意であるが、注入する接着剤５で確実に脚３を固定できるよう、ボルト頭３ａを埋没させることができる深さに形成されているのが好ましい。
【０００９】
又本発明は、脚差込み部４１が架台１の上面１ｂに接触する底板４１ａを備え、この底板４１ａに脚３の下端のボルト頭３ａを通す開口部４１ｂが形成されているのが好ましい（請求項２）。
【００１０】
本発明の場合、脚差込み部４１は底板４１ａが省略されて形成されるのでも良い。ただこの請求項記載の本発明の場合は、底板４１ａの開口部４１ｂとボルト頭３ａの隙間に入り込む接着剤５でボルト頭３ａを架台１の上面１ｂに接着でき、架台１との接着面積を限定できる。従ってこれによると、例えばユニットバス等の解体時に、架台１から脚３を取り外し易くなり、解体作業を容易化できる、という利点がある。又これによると、接着剤５が架台１の上面１ｂに流れ出てはみ出ることを防止できるから、体裁良く脚３を固定できる。
【００１１】
又本発明は、脚差込み部４１の上部４１ｃが、上方に向かって末広がり状に形成されているのが好ましい（請求項３）。
【００１２】
なぜならこれによると、脚３のボルト頭３ａを受ける範囲が広くなるため、上部４１ｃの傾斜面にボルト頭３ａをあてがって脚３を脚差込み部４１に導き入れ易くなり、施工作業を容易化できるからである。
【００１３】
又この場合本発明は、脚差込み部４１の上部４１ｃを支持して補強するための補強片４４が、脚受け部材４の外周面に形成されているのが好ましい（請求項４）。
【００１４】
なぜならこの場合は、脚３を差込む際に脚差込み部４１の上部４１ｃに加わる衝撃や荷重から上部４１ｃを保護でき、脚受け部材４の上部４１ｃの損壊を防止できるからである。
【００１５】
【発明の実施の形態】
以下、本発明の好適な一実施形態を添付図面に従って説明する。
【００１６】
図１等において、１は、上面が平面状の例えば吊り形式の架台である。この架台１は、具体的には断面四角形の角パイプで形成されている。又２は浴室の洗い場を形成する防水パンであり、３はこの防水パン２のボルト形の脚である。このボルト形の脚３は、下端がボルト頭３ａに形成され、回転させることで上下動し、高さが調節自在に形成されている。
【００１７】
４は、上記の脚３を受けるための脚受け部材である。この脚受け部材４は、上記の架台１に上方から被せられて嵌め付けられている。４１は、脚３が差込まれる縦筒形の脚差込み部である。この脚差込み部４１は、角筒形に形成され、架台１の両側面１ａに係合する下側の対向一対状の係合片４２と合成樹脂材で一体状に形成されている。
【００１８】
脚差込み部４１は、この実施形態では図２Ａに示されるように、平面視で四角形状の角筒形に形成され、一辺の長さは架台１の幅と同一に選定されている。又この脚差込み部４１は、ボルト頭３ａが接着剤５で埋没する深さに選定されている。又係合片４２は、架台１の両側面１ａを挟み付けるように密着されるものであり、その長さは脚差込み部４１の一辺の長さと同一に選定されている。又この実施形態の場合、係合片４２と脚差込み部４１の外面は面一に連ねられ、架台１の両側面１ａに沿った脚受け部材４の外側面４３は垂直面状に形成されている。
【００１９】
又脚差込み部４１は、架台１の上面１ｂに接する底板４１ａを備え、この底板４１ａに脚３の下端のボルト頭３ａを通す開口部４１ｂが形成されている。この開口部４１ｂは、この実施形態では丸孔状に形成されている。
【００２０】
又本発明の場合、上記の脚３は、その下端のボルト頭３ａを架台１の上面１ｂに当接させた状態で縦筒形の脚差込み部４１に起立状に配置されている。そして脚差込み部４１に接着剤５が注入される。本発明の場合は、この接着剤５によって脚３と脚受け部材４、又ボルト頭３ａと架台１の上面１ｂとが接着する。そして脚受け部材４は、架台１に嵌め付けられていることから、脚３が架台１に固定されるものである。
【００２１】
次に脚３を架台１に固定する作業の手順を、図３〜図５に従って説明する。
【００２２】
先ず作業者は、架台１に脚受け部材４を上方から嵌め付け、次にボルト頭３ａを、脚差込み部４１の底板４１ａの開口部４１ｂを介して架台１の上面１ｂに当接させる（図３参照）。この場合、脚３の高さを調節するときは、図４に示されるように、先ず作業者は脚受け部材４を一旦持ち上げてボルト頭３ａを露出させる。そして次に作業者は、このボルト頭３ａをスパナ等の手動工具６で横方向から回して脚３を上下動させ、その後、脚受け部材４を架台１に嵌め付け直すことで行なうものである。
【００２３】
脚３を配置後、作業者は、図５に示されるように、接着剤５を脚差込み部４１に注入し、ボルト頭３ａを埋没させる。これにより本発明は、架台１に嵌め付けられている脚受け部材４と脚３が接着し、又接着剤５がボルト頭３ａと開口部４１ｂの隙間に入り込み、ボルト頭３ａが架台１の上面１ｂに接着して脚３が架台１に固定される。
【００２４】
以上の処において、上例では脚差込み部４１が底板４１ａを備えて形成されているが、本発明はこれに限定されるものではない。即ち本発明の場合、脚差込み部４１は底板４１ａが省略され、脚差込み部４１の下側が完全に開口されているのでも良い。
【００２５】
又本発明は、図６〜図８に示されるように、脚差込み部４１の上部４１ｃが上方に向かって末広がり状に形成されているのでも良い。この実施形態の場合、脚差込み部４１の上部４１ｃは、逆角錐形に形成されている。４４は、脚差込み部４１の上部４１ｃを支持して補強するための補強片である。この補強片４４は、この実施形態では脚受け部材４の外側面４３に左右一対状形成され、この外側面４３に隣り合う脚差込み部４１の外面の中央位置に一個形成されている。この実施形態に係る脚受け部材４の場合は、図７、図８に示されるように、脚３のボルト頭３ａを脚差込み部４１の上部４１ｃの傾斜面にあてがって脚差込み部４１に差込むことができ、施工作業を容易化できる。
【００２６】
【発明の効果】
以上説明したように本発明は、上面が平面状の架台に防水パンのボルト形の脚を固定する脚固定構造において、脚を受けるための脚受け部材を架台に上方から嵌め付け、この脚受け部材の縦筒形の脚差込み部に、脚をその下端のボルト頭を架台の上面に当接させた状態で起立状に配置し、この脚差込み部に接着剤を注入して脚を架台に取り付けているものである。
【００２７】
従って本発明の場合は、脚の横滑り防止や接着剤注入用の脚受け部材を、ドライバー等の手動工具を必要とすることなく、架台に簡単、迅速に取り付けることができる。
又ネジ等の止め具を一掃でき、架台の上面に直にボルト頭を当接させて固定するため、安定した姿勢で脚を固定できる。
又本発明の場合は、脚受け部材に防水パンの荷重が直接かからないから、例えば合成樹脂材等の安価な材料で形成した脚受け部材の使用が可能になる。従ってこれによれば、脚受け部材を低廉化でき、部品コスト、施工コストを抑えることができる。
更に本発明は、脚受け部材を架台に嵌め付けているため、脚の高さを調節する際、脚受け部材を一旦持ち上げてスパナ等を横から差し入れてボルト頭を回すことができる。従ってこれによると、脚の高さを、簡単、容易に調節できる。
【図面の簡単な説明】
【図１】本発明構造の好適な一実施形態を示す一部を切欠した要部縦断面図である。
【図２】脚受け部材を示し、Ａは平面図、ＢはＡのＢ―Ｂ線断面図である。
【図３】同上構造の施工事例を説明するための要部斜視図である。
【図４】同上構造の施工事例を説明するための要部斜視図である。
【図５】同上構造の施工事例を説明するための要部斜視図である。
【図６】脚受け部材の他の実施形態を示し、Ａは平面図、ＢはＡのＢ―Ｂ線断面図である。
【図７】図６の脚受け部材を使用した施工時の要部斜視図である。
【図８】図６の脚受け部材を使用した施工時の要部縦断面図である。
【図９】従来の固定構造を説明するための要部斜視図である。
【符号の説明】
１    架台
１ｂ  上面
２    防水パン
３    ボルト形の脚
３ａ  ボルト頭
４    脚受け部材
４１  脚差込み部
５    接着剤
【図１】
2004190402.tif 000003
【図２】
2004190402.tif 000004
【図３】
2004190402.tif 000005
【図４】
2004190402.tif 000006
【図５】
2004190402.tif 000007
【図６】
2004190402.tif 000008
【図７】
2004190402.tif 000009
【図８】
2004190402.tif 000010
【図９】
2004190402.tif 000011